(57)【特許請求の範囲】
【請求項１】
操作軸を操作することで所定機能が切換または調整される制御手段を操作パネルの内部側に配置し、
前記操作パネルに穿設された軸孔を貫通する軸部を具備する操作つまみを、前記操作パネルの外部側に配置し、
前記軸部と前記操作軸との間を連結部材によって連結し、
前記軸部と前記連結部材と前記操作軸とを、夫々の中心軸が一致する形態で同一直線上に配置して、
前記操作つまみを操作することによって前記所定機能が切換または調整される操作装置であって、
前記軸部より前記操作軸が下方に位置するように、前記中心軸を鉛直方向に対して傾斜する傾斜姿勢に配置し、
前記連結部材には、前記連結部材の前記中心軸方向の両端部の間に、径方向外方へ張り出す鍔を前記連結部材と一体に形成し、
前記両端部のうち、前記軸部と連結される側の第１の端部において、前記軸部の外径が前記連結部材の外径より大きい第１の段差を形成し、
前記両端部のうち、前記操作軸と連結される側の第２の端部において、前記連結部材の外径が前記操作軸の外径より大きい第２の段差を形成し、
前記第１の段差における、前記軸部の前記中心軸に沿う方向の外周面と前記軸部の端面との交差線である第１の稜線の下端、および、前記第２の段差における、前記連結部材の前記中心軸に沿う方向の外周面と前記連結部材の端面との交差線である第２の稜線の下端が、平面視において、前記制御手段の投影形状の外側に位置することを特徴とする操作装置。
【請求項２】
前記制御手段の上方には、前記第１の稜線の下端又は前記第２の稜線の下端から落下する液体を、平面視において、前記制御手段の投影形状の外側に誘導する傾斜面を有するカバー部材が配置されていることを特徴とする請求項１に記載の操作装置。
【発明の詳細な説明】
【技術分野】
【０００１】
この発明は、筐体の天板や操作プレートの上面に、軸部に取り付けられた操作つまみが露出して設けられる操作装置において、例えば煮汁等が軸部へ流入することがある調理器具等に好適に適用可能な操作装置に関する。
【背景技術】
【０００２】
調理器具の天板の上面に軸部に取り付けられた操作つまみが露出する構成の器具の操作装置では、煮こぼれ対策が必要であり、このために、天板部の操作軸部が挿通する透孔の周縁に、上方に突出する環状凸部を形成し、この環状凸部よりも大きな直径の円盤部を具備する操作つまみが、前記透孔に挿通される前記操作軸部に連設一体化されているものが知られている。（例えば、特許文献１参照）。
【０００３】
特許文献１では、天板に流下した煮こぼれが、前記環状凸部によって遮断され、また、操作軸部の外周の間隙部は操作つまみの円板部によって遮断され、煮こぼれが、操作軸部の外周間隙から器具内部に流入する不都合が回避される。
【先行技術文献】
【特許文献】
【０００４】
【特許文献１】実開昭５７−１１６０４８号号公報
【発明の概要】
【発明が解決しようとする課題】
【０００５】
特許文献１の操作装置では、天板部の操作軸部挿通用の透孔周縁に環状凸部を備え、これを高く設けることにより煮こぼれによる不都合が解消されものの、この環状凸部を上方の操作つまみ側へ突出させる為には加工上の限度があり、この環状凸部を上方の操作つまみ側への突出高さが高く出来ない場合があり、操作つまみ側からの煮こぼれの流入を完全には防止できない。
本発明はかかる課題を解決するためになされたものであって、本発明の目的は、操作つまみ側から流入した煮汁等が、操作つまみから軸部を介しこれに連結される制御手段へ到達するという不都合を解消することができる操作装置を提供すること、かつ、装置の簡素化を図った操作装置を提供することにある。
【課題を解決するための手段】
【０００６】
この目的を達成するために、請求項１に記載の発明は、操作軸を操作することで所定機能が切換または調整される制御手段を操作パネルの内部側に配置し、前記操作パネルに穿設された軸孔を貫通する軸部を具備する操作つまみを、前記操作パネルの外部側に配置し、前記軸部と前記操作軸との間を連結部材によって連結し、前記軸部と前記連結部材と前記操作軸とを、夫々の中心軸が一致する形態で同一直線上に配置して、前記操作つまみを操作することによって前記所定機能が切換または調整される操作装置であって、前記軸部より前記操作軸が下方に位置するように、前記中心軸を鉛直方向に対して傾斜する傾斜姿勢に配置し、前記連結部材には、前記連結部材の前記中心軸方向の両端部の間に、径方向外方へ張り出す鍔を前記連結部材と一体に形成し、前記両端部のうち、前記軸部と連結される側の第１の端部において、前記軸部の外径が前記連結部材の外径より大きい第１の段差を形成し、前記両端部のうち、前記操作軸と連結される側の第２の端部において、前記連結部材の外径が前記操作軸の外径より大きい第２の段差を形成し、前記第１の段差における、前記軸部の前記中心軸に沿う方向の外周面と前記軸部の端面との交差線である第１の稜線の下端、および、前記第２の段差における、前記連結部材の前記中心軸に沿う方向の外周面と前記連結部材の端面との交差線である第２の稜線の下端が、平面視において、前記制御手段の投影形状の外側に位置する点を特徴とする。
【０００７】
本発明によると、操作パネルに穿設された、操作パネルの外部側に配置された操作つまみの軸部が貫通する軸孔から、煮こぼれ等の液体が操作つまみの軸部を伝って操作パネルの内部側に浸入した場合にも、操作つまみの軸部の外径が連結部材の外径より大きく形成されている第１の段差における、軸部の中心軸に沿う方向の外周面と軸部の端面との交差線である第１の稜線の下端において、上記第1の稜線を伝って流下する上記煮こぼれ等の液体の一部または全部を落下させることができ、連結部材側に移動する煮こぼれ等の液体の量が減少する。
【０００８】
また、連結部材には径方向外方へ張り出す鍔が形成してあるから、連結部材側に移動した煮こぼれ等の液体のうち、連結部材における制御手段の操作軸との連結箇所の側に移動する煮こぼれ等の液体の量はさらに減少する。
【０００９】
さらに、煮こぼれ等の液体が鍔を乗り越えて連結部材における制御手段の操作軸との連結箇所の側に移動した場合にも、連結部材の外径が制御手段の操作軸の外径より大きくなっている第２の段差における、連結部材の中心軸に沿う方向の外周面と連結部材の端面との交差線である第２の稜線の下端において、第２の稜線を伝って流下する煮こぼれ等の液体の一部または全部を落下させることができ、操作軸に移動する煮こぼれ等の液体の量はさらに減少させることが可能となり、制御手段への、煮こぼれ等の液体の浸入を抑制することが出来る。
【００１０】
つまり、請求項１記載の発明によれば、連結部材に径外に張り出す鍔を設け、操作つまみの軸部から連結部材へと段落ちとなる段差を形成して操作つまみの軸部と連結部材とを連結し、連結部材から制御手段の操作軸へと段落ちとなる段差を形成して連結部材と制御手段の操作軸とを連結し、操作つまみの軸部より制御手段の操作軸が下方に位置するように傾斜姿勢に配置するだけの簡単な構成で、操作パネルに穿設された軸孔から浸入した煮こぼれ等の液体の、制御手段への浸入を抑制することが出来る。
【００１２】
また、請求項１記載の発明によれば、上記第１の稜線の下端や上記第２の稜線の下端から落下した煮こぼれ等の液体が、制御手段上に落下することが抑制されるから、操作パネルに穿設された軸孔から浸入した煮こぼれ等の液体の、制御手段への浸入を効果的に抑制することが出来る。
【００１３】
請求項２記載の発明は、請求項１記載の発明において、前記制御手段の上方には、前記第１の稜線の下端又は前記第２の稜線の下端から落下する液体を、平面視において、前記制御手段の投影形状の外側に誘導する傾斜面を有するカバー部材が配置されている点を特徴とする。
【００１４】
請求項２記載の発明によれば、制御手段の上方には、上記第１の稜線の下端又は上記第２の稜線の下端から落下する液体を、平面視において、制御手段の投影形状の外側に誘導する傾斜面を有するカバー部材が配置されているから、上記第１の稜線の下端や上記第２の稜線の下端から落下した煮こぼれ等の液体が、制御手段上に落下することが抑制され、操作パネルに穿設された軸孔から浸入した煮こぼれ等の液体の、制御手段への浸入を、請求項１記載の発明の効果に加えて、さらに効果的に抑制することが出来る。
【発明の効果】
【００１５】
上記のように、本発明によれば、操作パネルに穿設された軸孔から浸入した煮こぼれ等の液体が制御手段に浸入することを、簡単な構成で、効果的に抑制することが可能になる。
【図面の簡単な説明】
【００１６】
【図１】本発明の一実施形態である一口型ガスコンロの斜視図である。
【図２】図１のガスコンロの縦断側面図である。
【発明を実施するための形態】
【００１７】
以下、本発明の実施形態を図面に基づいて説明する。
【００１８】
図１に、本発明の一実施形態の操作装置を備えたガス器具の一例である一口型のガスコンロが示されている。このガスコンロは、箱形に形成されたコンロ本体０１の上端に矩形パレット状のトッププレート０２を連結し、キッチンカウンターの上面に形成された矩形開口にコンロ本体０１を上方から嵌め込み装着してトッププレート０２の周部をキッチンカウンターに載置支持して設置される、いわゆるドロップイン式に構成されたものであり、コンロ本体０１に組み付けられたコンロバーナ０３がトッププレート０２の中央開口に臨んで配備され、また、トッププレート０２上には五徳０４が載置されている。
【００１９】
トッププレート０２は、プレス加工した薄鋼板の表面全体に琺瑯処理が施されたものであり、その前側一部が局部的に上方向に膨出されて、ここに斜め前方上方に向かう操作パネル０５がトッププレート０２と一体に形成されている。
【００２０】
操作パネル０５の外側には、コンロバーナ０３の点/消火および火力調節を行う操作つまみ０６が左右回動操作可能に装備されると共に、その操作位置を示す操作位置表示用の表示部材０７が装着されている。なお、操作つまみ０６は射出成型による樹脂成型品により形成されている。
【００２１】
図２は本発明に係る主要部を示す上記ガスコンロの縦断側面図であり、図２に示すように、コンロ本体０１の内側で操作パネル０５の内部側には、コンロバーナ０３に燃料ガスを供給したりコンロバーナ０３への燃料ガスの供給量を調節したりするための制御手段（ガス量制御装置）１５が配置されており、制御手段（ガス量制御装置）１５に具備する操作軸１４を回動操作することで燃料ガスを供給、しゃ断したりコンロバーナ０３への燃料ガスの供給量を調節したりする所定機能が切換または調整される。
【００２２】
操作つまみ０６の軸部０９が、操作パネル０５に穿設された軸孔０８を貫通して、操作パネル０５の内部側で、射出成型による樹脂成型品により形成された連結部材１０の第１の端部１１と連結されており、連結部材１０の第２の端部１３が制御手段（ガス量制御装置）１５の操作軸１４と連結されており、操作つまみ０６を回動操作することによって制御手段（ガス量制御装置）１５の操作軸１４が回動して燃料ガスを供給、しゃ断したりコンロバーナ０３への燃料ガスの供給量を調節したりする所定機能が切換または調整される。
【００２３】
なお、操作つまみ０６の軸部０９と連結部材１０と制御手段（ガス量制御装置）１５の操作軸１４は、夫々の中心軸が一致する形態で同一直線上に配置されており、操作つまみ０６の軸部０９より制御手段（ガス量制御装置）１５の操作軸１４が下方に位置するように、操作つまみ０６の軸部０９、連結部材１０、制御手段（ガス量制御装置）１５の操作軸１４夫々の中心軸を鉛直方向に対して傾斜する傾斜姿勢に配置し、連結部材１０には、第１の端部１１と第２の端部１３の両端部の間に、径方向外方へ張り出す鍔１２が一体に形成されている。
【００２４】
また、連結部材１０の第１の端部１１において、操作つまみ０６の軸部０９の外径が連結部材１０の外径より大きい第１の段差を形成し、連結部材１０の第２の端部１３において、連結部材１０の外径が制御手段（ガス量制御装置）１５の操作軸１４の外径より大きい第２の段差を形成している。
【００２５】
上記第１の段差における、操作つまみ０６の軸部０９の中心軸に沿う方向の外周面と操作つまみ０６の軸部０９の端面との交差線である第１の稜線の下端１８、および、上記第２の段差における、連結部材１０の中心軸に沿う方向の外周面と連結部材１０の端面との交差線である第２の稜線の下端１９は、平面視において、制御手段（ガス量制御装置）１５の投影形状の外側に位置している。
【００２６】
上述のように構成してあるから、操作パネル０５の外部側に配置された操作つまみ０６の軸部０９が貫通する、操作パネル０５に穿設された軸孔０８から煮こぼれ等の液体が操作つまみ０６の軸部０９を伝って操作パネル０５の内部側に浸入した場合にも、連結部材１０の第１の端部１１において操作つまみ０６の軸部０９の外径が連結部材１０の外径より大きくなって形成されている上記第１の段差では、第１の稜線の下端１８において、第１の稜線を伝って流下する上記煮こぼれ等の液体の一部または全部を落下させることができ、連結部材１０の側に移動する煮こぼれ等の液体の量が減少する。
【００２７】
また、連結部材１０には径方向外方へ張り出す鍔１２が形成してあるから、連結部材１０の側に移動した煮こぼれ等の液体のうち、連結部材１０の第１の端部１１から第２の端部１３側に移動する煮こぼれ等の液体の量はさらに減少する。
【００２８】
さらに、煮こぼれ等の液体が鍔１２を乗り越えて連結部材１０の第２の端部１３の側に移動した場合にも、連結部材１０の外径が制御手段（ガス量制御装置）１５の操作軸１４の外径より大きくなっている上記第２の段差における、第２の稜線の下端１９において、第２の稜線を伝って流下する煮こぼれ等の液体を落下させることができ、制御手段（ガス量制御装置）１５の操作軸１４に移動する煮こぼれ等の液体の量はさらに減少させることが可能となり、制御手段（ガス量制御装置）１５への、煮こぼれ等の液体の浸入を抑制することが出来る。
【００２９】
また、制御手段（ガス量制御装置）１５の上方には、第２の稜線の下端１９から落下する煮汁等の液体を、平面視において制御手段（ガス量制御装置）１５の投影形状の外側に誘導する傾斜面１６を有し制御手段（ガス量制御装置）１５の上方全体を覆うカバー部材１７が配置されており、コンロ本体０１が多少傾いて設置されたときにも、操作パネル０５に穿設した軸孔０８から煮汁等の液体がコンロ本体０１内に浸入して、第２の端部１３から落下しても、制御手段（ガス量制御装置）１５への煮汁等の液体の流動が抑制され好都合である。
〔別実施形態〕
【００３０】
（１）上記実施形態では、カバー部材１７が制御手段（ガス量制御装置）１５の上方全体を覆うように構成されているが、カバー部材１７が制御手段（ガス量制御装置）１５の上方全体を覆うようには構成されていない実施形態であってもよい。
【００３１】
（２）上記実施形態では、本発明が一口型ドロップイン式ガスコンロに適用される場合を示したが、適用される製品には限定されず、種々の製品に適用可能である。
【符号の説明】
【００３２】
０１          コンロ本体
０２          トッププレート
０３          コンロバーナ
０４          五徳
０５          操作パネル
０６          操作つまみ
０７          表示部材
０８          軸孔
０９          軸部
１０          連結部材
１１          第１の端部
１２          鍔
１３          第２の端部
１４          操作軸
１５          制御手段（ガス量制御装置）
１６          傾斜面
１７          カバー部材
１８          第１の稜線の下端
１９          第２の稜線の下端
【図２】
0005901307.tif 000002
【図１】
0005901307.tif 000003